(57)【要約】      （修正有）【課題】構造が簡単で部品点数も少ない、組合せ式モップを提供する。【解決手段】モップヘッド１００は、回動ベース１２０と、弾性付きリブ１３０と、を含み、前記回動ベースは、開口が開設されている組合せ面を有し、前記開口には収容空間１２４が凹設されており、前記弾性付きリブは、前記開口の近傍から前記開口の中心へ伸びており、前記モップロッドは、接合子２１０を有し、前記接合子の少なくとも一部は、前記収容空間内に回動自在であり、前記収容空間に脱着自在であり、前記接合子が前記収容空間に収容されているときには、前記弾性付きリブが前記接合子に係合されており、前記接合子を介して前記弾性付きリブを押えると、前記接合子は前記開口を経由して前記収容空間から離脱することができるように構成する。【選択図】図５
0003150362.tif 000002
【実用新案登録請求の範囲】
【請求項１】
モップヘッドと、モップロッドと、を含む組合せ式モップにおいて、
前記モップヘッドは、回動ベースと、弾性付きリブと、を含み、前記回動ベースは、開口が開設されている組合せ面を有し、前記開口には収容空間が凹設されており、前記弾性付きリブは、前記開口の近傍から前記開口の中心へ伸びており、
前記モップロッドは、接合子を有し、前記接合子の少なくとも一部は、前記収容空間内に回動自在であり、前記収容空間に脱着自在であり、
前記接合子が前記収容空間に収容されているときには、前記弾性付きリブが前記接合子に係合されており、前記接合子を介して前記弾性付きリブを押えると、前記接合子は前記開口を経由して前記収容空間から離脱することができることを特徴とする組合せ式モップ。
【請求項２】
請求項１記載の組合せ式モップにおいて、前記接合子は円形断面側壁を有し、前記円形断面側壁が環状案内溝に囲まれており、前記環状案内溝には前記弾性付きリブが収容されていることを特徴とする組合せ式モップ。
【請求項３】
請求項１記載の組合せ式モップにおいて、前記接合子は円盤形状を呈することを特徴とする組合せ式モップ。
【請求項４】
請求項１記載の組合せ式モップにおいて、前記接合子は、第一接合部と、第二接合部と、を有し、
前記第一接合部は、前記組合せ面の上で設けられており、その直径が前記開口の直径よりも大きく、
前記第二接合部は前記収容空間に収容されていることを特徴とする組合せ式モップ。
【請求項５】
請求項４記載の組合せ式モップにおいて、前記第二接合部は円形断面側壁を有し、前記円形断面側壁が環状案内溝に囲まれており、前記環状案内溝には前記弾性付きリブが収容されていることを特徴とする組合せ式モップ。
【請求項６】
請求項１記載の組合せ式モップにおいて、前記モップロッドは、更に、枢着子と、ハンドルと、を有し、
前記枢着子は、前記接合子から外部に伸びており、
前記ハンドルは、前記枢着子に枢着されていることを特徴とする組合せ式モップ。
【請求項７】
請求項６記載の組合せ式モップにおいて、前記モップロッドは、更に、弾性付き規制子を含み、前記弾性付き規制子は、前記ハンドルの内部に設けられており、その一部が前記ハンドルから外部に露出していることを特徴とする組合せ式モップ。
【請求項８】
請求項７記載の組合せ式モップにおいて、前記枢着子には、少なくとも一つの溝が設けられており、前記溝は前記弾性付き規制子を収容するためのものであることを特徴とする組合せ式モップ。
【請求項９】
請求項８記載の組合せ式モップにおいて、前記弾性付き規制子は、バネと、ボールと、を含み、前記バネの一端が前記ボールと接触しており、前記ボールの一部が前記ハンドルから外部に露出しており、前記ボールが前記溝に収容されていることを特徴とする組合せ式モップ。
【請求項１０】
請求項１記載の組合せ式モップにおいて、前記回動ベースは、中心軸を中心として回動可能であり、前記接合子の中心が前記中心軸の中心と一致していることを特徴とする組合せ式モップ。
【請求項１１】
請求項１記載の組合せ式モップにおいて、前記回動ベースは円盤形状を呈することを特徴とする組合せ式モップ。
【請求項１２】
請求項１記載の組合せ式モップにおいて、前記回動ベースには清掃側が設けられており、前記清掃側の反対側には組合せ面が設けられていることを特徴とする組合せ式モップ。
【請求項１３】
請求項１２記載の組合せ式モップにおいて、前記モップヘッドは、前記清掃側に設けられている清掃子を含むことを特徴とする組合せ式モップ。
【請求項１４】
請求項１３記載の組合せ式モップにおいて、前記清掃子は複数の布条の組合であってもよいことを特徴とする組合せ式モップ。
【請求項１５】
モップロッドと結合可能であり、回動ベースと、弾性付きリブと、を含むモップヘッドにおいて、
前記回動ベースは、開口が開設されている組合せ面を有し、前記開口には収容空間が凹設されており、
前記弾性付きリブは、前記開口の近傍から前記開口の中心へ伸びており、組合せ面を有し、
前記モップロッドの一端が前記収容空間に収容されているときには、前記回動ベースが前記モップロッドに対して回動可能であり、前記弾性付きリブが前記モップロッドに係合されており、前記モップロッドを介して前記弾性付きリブを押えると、前記モップロッドは前記収容空間から離脱することができることを特徴とするモップヘッド。
【請求項１６】
請求項１５記載のモップヘッドにおいて、前記回動ベースは円盤形状を呈することを特徴とするモップヘッド。
【請求項１７】
請求項１５記載のモップヘッドにおいて、前記回動ベースには清掃側が設けられており、前記清掃側の反対側には組合せ面が設けられていることを特徴とするモップヘッド。
【請求項１８】
請求項１７記載のモップヘッドにおいて、前記モップヘッドは、前記清掃側に設けられている清掃子を含むことを特徴とするモップヘッド。
【請求項１９】
請求項１８記載のモップヘッドにおいて、前記清掃子は複数の布条を組み合わせて構成されることを特徴とするモップヘッド。
【請求項２０】
モップヘッドと結合可能であり、前記モップヘッドには、収容空間と、弾性付きリブと、が設けられており、接合子と、枢着子と、ハンドルと、を含むモップロッドにおいて、  前記接合子は、その少なくとも一部は、前記収容空間内に回動自在であり、前記収容空間に脱着自在であり、前記接合子は、円形断面側壁を有し、前記円形断面側壁が環状案内溝に囲まれており、前記環状案内溝には前記弾性付きリブが収容されており、
前記枢着子は、前記接合子から外部に伸びており、
前記ハンドルは、前記枢着子に枢着されており、
前記接合子を介して前記弾性付きリブを押えると、前記接合子は前記収容空間から離脱することができることを特徴とするモップロッド。
【請求項２１】
請求項２０記載のモップロッドにおいて、前記接合子は円盤形状を呈することを特徴とするモップロッド。
【請求項２２】
請求項２０記載のモップロッドにおいて、前記接合子は、第一接合部と、第二接合部と、を有し、
前記第一接合部は、前記モップヘッドの上で設けられており、
前記第二接合部は前記収容空間に収容されており、前記第二接合部には、前記環状案内溝と、前記円形断面側壁と、が設けられていることを特徴とするモップロッド。
【請求項２３】
請求項２０記載のモップロッドにおいて、前記モップロッドは、更に、弾性付き規制子を含み、前記弾性付き規制子は、前記ハンドルの内部に設けられており、その一部が前記ハンドルから外部に露出していることを特徴とするモップロッド。
【請求項２４】
請求項２３記載のモップロッドにおいて、前記枢着子には、少なくとも一つの溝が設けられており、前記溝は前記弾性付き規制子を収容するためのものであることを特徴とするモップロッド。
【請求項２５】
請求項２４記載のモップロッドにおいて、前記弾性付き規制子は、バネと、ボールと、を含み、前記バネの一端が前記ボールと接触しており、前記ボールの一部が前記ハンドルから外部に露出しており、前記ボールが前記溝に収容されていることを特徴とするモップロッド。
【考案の詳細な説明】
【技術分野】
【０００１】
本考案は、組合せ式モップに関し、特に、モップロッドとモップヘッドとは、相対に回動可能、脱着自在である組合せ式モップに関するものである。
【背景技術】
【０００２】
まず、特許文献１に開示した手持ち式モップを参照する。これは、３６０度に回動可能であり自由に定位可能のものであり、そのモップヘッドが円盤形状を呈し、モップヘッドとモップロッドとが相対に回動可能である。上記手持ち式モップの使用は、モップヘッドの回動及び移動により地面を清掃することができる。
また、モップロッドが回動盤に連接されており、モップヘッドには布条が連接されている固定リングが設けられており、前記固定リングが前記回動盤内に組み合わされている。モップヘッドを交換したいときには、固定リングと、前記固定リングと連接している布条と、をセットで交換することができ、しかし、前記回動盤から前記固定リングを分離する場合には、両手を同時に使用することが必要であり、且つ前記回動盤が前記モップロッドと連結しているので、前記固定リングの前記回動盤からの分離が容易ではない。
そして、特許文献１の図２に示すように、Ｉ継手と円盤との組付が複雑すぎであり、部品の点数も多いので、組付工数が増加し、生産コストが高すぎである欠点があった。
【先行技術文献】
【特許文献】
【０００３】
【特許文献１】台湾実用新案第Ｍ２９００２８號明細書
【考案の概要】
【考案が解決しようとする課題】
【０００４】
本考案の目的は、構造が簡素化され、部品の点数が少ない組合せ式モップを提供することにある。
【課題を解決するための手段】
【０００５】
前記の考案目的を達成する為に、本考案の組合せ式モップによると、モップヘッドと、モップロッドと、を含む組合せ式モップにおいて、前記モップヘッドは、回動ベースと、弾性付きリブと、を含み、前記回動ベースは、開口が開設されている組合せ面を有し、前記開口には収容空間が凹設されており、前記弾性付きリブは、前記開口の近傍から前記開口の中心へ伸びており、前記モップロッドは、接合子を有し、前記接合子の少なくとも一部は、前記収容空間内に回動自在であり、前記収容空間に脱着自在であり、前記接合子が前記収容空間に収容されているときには、前記弾性付きリブが前記接合子に係合されており、前記接合子を介して前記弾性付きリブを押えると、前記接合子は前記開口を経由して前記収容空間から離脱することができることを特徴とする組合せ式モップである。
本考案の組合せ式モップによると、前記接合子は円形断面側壁を有し、前記円形断面側壁が環状案内溝に囲まれており、前記環状案内溝には前記弾性付きリブが収容されている。
本考案の組合せ式モップによると、前記接合子は円盤形状を呈する。
本考案の組合せ式モップによると、前記接合子は、第一接合部と、第二接合部と、を有し、前記第一接合部は、前記組合せ面の上で設けられており、その直径が前記開口の直径よりも大きく、前記第二接合部は前記収容空間に収容されている。
本考案の組合せ式モップによると、前記第二接合部は円形断面側壁を有し、前記円形断面側壁が環状案内溝に囲まれており、前記環状案内溝には前記弾性付きリブが収容されている。
本考案の組合せ式モップによると、前記モップロッドは、更に、枢着子と、ハンドルと、を有し、前記枢着子は、前記接合子から外部に伸びており、前記ハンドルは、前記枢着子に枢着されている。
本考案の組合せ式モップによると、前記モップロッドは、更に、弾性付き規制子を含み、前記弾性付き規制子は、前記ハンドルの内部に設けられており、その一部が前記ハンドルから外部に露出している。
本考案の組合せ式モップによると、前記枢着子には、少なくとも一つの溝が設けられており、前記溝は前記弾性付き規制子を収容するためのものである。
本考案の組合せ式モップによると、前記弾性付き規制子は、バネと、ボールと、を含み、前記バネの一端が前記ボールと接触しており、前記ボールの一部が前記ハンドルから外部に露出しており、前記ボールが前記溝に収容されている。
本考案の組合せ式モップによると、前記回動ベースは、中心軸を中心として回動可能であり、前記接合子の中心が前記中心軸の中心と一致している。
本考案の組合せ式モップによると、前記回動ベースは円盤形状を呈する。
本考案の組合せ式モップによると、前記回動ベースには清掃側が設けられており、前記清掃側の反対側には組合せ面が設けられている。
本考案の組合せ式モップによると、前記モップヘッドは、前記清掃側に設けられている清掃子を含む。
本考案の組合せ式モップによると、前記清掃子は複数の布条の組合であってもよい。
本考案の組合せ式モップによると、モップロッドと結合可能であり、回動ベースと、弾性付きリブと、を含むモップヘッドにおいて、前記回動ベースは、開口が開設されている組合せ面を有し、前記開口には収容空間が凹設されており、前記弾性付きリブは、前記開口の近傍から前記開口の中心へ伸びており、組合せ面を有し、前記モップロッドの一端が前記収容空間に収容されているときには、前記回動ベースが前記モップロッドに対して回動可能であり、前記弾性付きリブが前記モップロッドに係合されており、前記モップロッドを介して前記弾性付きリブを押えると、前記モップロッドは前記収容空間から離脱することができることを特徴とするモップヘッドである。
本考案の組合せ式モップによると、前記回動ベースは円盤形状を呈する。
本考案の組合せ式モップによると、前記回動ベースには清掃側が設けられており、前記清掃側の反対側には組合せ面が設けられている。
本考案の組合せ式モップによると、前記モップヘッドは、前記清掃側に設けられている清掃子を含む。
本考案の組合せ式モップによると、前記清掃子は複数の布条を組み合わせて構成される。
本考案の組合せ式モップによると、モップヘッドと結合可能であり、前記モップヘッドには、収容空間と、弾性付きリブと、が設けられており、接合子と、枢着子と、ハンドルと、を含むモップロッドにおいて、前記接合子は、その少なくとも一部は、前記収容空間内に回動自在であり、前記収容空間に脱着自在であり、前記接合子は、円形断面側壁を有し、前記円形断面側壁が環状案内溝に囲まれており、前記環状案内溝には前記弾性付きリブが収容されており、前記枢着子は、前記接合子から外部に伸びており、前記ハンドルは、前記枢着子に枢着されており、前記接合子を介して前記弾性付きリブを押えると、前記接合子は前記収容空間から離脱することができることを特徴とするモップロッドである。
本考案の組合せ式モップによると、前記接合子は円盤形状を呈する。
本考案の組合せ式モップによると、前記接合子は、第一接合部と、第二接合部と、を有し、
前記第一接合部は、前記モップヘッドの上で設けられており、前記第二接合部は前記収容空間に収容されており、前記第二接合部には、前記環状案内溝と、前記円形断面側壁と、が設けられている。
本考案の組合せ式モップによると、前記モップロッドは、更に、弾性付き規制子を含み、前記弾性付き規制子は、前記ハンドルの内部に設けられており、その一部が前記ハンドルから外部に露出している。
本考案の組合せ式モップによると、前記枢着子には、少なくとも一つの溝が設けられており、前記溝は前記弾性付き規制子を収容するためのものである。
本考案の組合せ式モップによると、前記弾性付き規制子は、バネと、ボールと、を含み、前記バネの一端が前記ボールと接触しており、前記ボールの一部が前記ハンドルから外部に露出しており、前記ボールが前記溝に収容されている。
【考案の効果】
【０００６】
本考案の組合せ式モップによれば、構造が簡素化され、部品の点数が従来のものよりも少ないという効果を有する。
【図面の簡単な説明】
【０００７】
【図１】本考案に係る組合せ式モップの組合状態の斜視図である。
【図２】本考案に係る組合せ式モップの分解斜視図であって、清掃子が表示されていない。
【図３】本考案に係る組合せ式モップの一部の断面図である。
【図４】本考案に係る組合せ式モップの使用状態を示す概略図である。
【図５】本考案に係る組合せ式モップの使用状態を示す概略図である。
【考案を実施するための形態】
【０００８】
まず、図１を参照する。図１は本考案に係る組合せ式モップ１０００の組合状態の斜視図である。組合せ式モップ１０００は、モップヘッド１００と、モップロッド２００と、を含み、モップヘッド１００が円盤形状を呈し、モップヘッド１００は地面を清掃するための清掃子１１０を有し、モップロッド２００はロッド形状を呈し、ユーザはモップロッド２００を握り可能であり、モップヘッド１００はモップロッド２００に対して回動か、又は傾斜することができる。
【０００９】
次に、図２及び図３を参照する。図２は本考案に係る組合せ式モップ１０００の分解斜視図であって、清掃子１１０が表示されていない。図３は本考案に係る組合せ式モップ１０００の一部の断面図である。モップヘッド１００は、回動ベース１２０と、複数の弾性付きリブ１３０と、清掃子（図１参照）と、を含む。回動ベース１２０は、円盤形状を呈し、組合せ面１２１と、清掃側１２２と、を有する。清掃側１２２は組合せ面１２１の反対側にあり、組合せ面１２１には、開口１２３と、結合穴１２６と、が設けられており、開口１２３には収容空間１２４が凹設されており、結合穴１２６が回動ベース１２０の周りに環設されている。
【００１０】
弾性付きリブ１３０は、回動ベース１２０と一体成形されてもよく、樹脂を射出成形して作製されたものであってもよい。弾性付きリブ１３０は、収容空間１２４の底部から上に伸びて、開口１２３の近傍から開口１２３の中心へ伸びているので、弾性付きリブ１３０がフック形状を呈してもよい。
清掃子１１０は、複数の布条の組合であってもよく、結合穴１２６に固定されており、回動ベース１２０の清掃側１２２に設けられている。また、清掃子１１０は、清掃側１２２に貼り付けられている布質のシートであってもよい。
モップロッド２００は、接合子２１０と、枢着子２２０と、ハンドル２３０と、弾性付き規制子２４０と、を含む。接合子２１０は、円盤形状を呈してもよく、接合子２１０の少なくとも一部は、中心軸ＡＸ１に形成され、回動可能で脱着可能であるように収容空間１２４の内部に収容されているので、回動ベース１２０は中心軸ＡＸ１を中心として回動することができ、接合子２１０の中心は中心軸ＡＸ１の中心と一致している。
接合子２１０は、第一接合部２１１と、第二接合部２１２と、を有し、第一接合部２１１は、組合せ面１２１の上で設けられており、その直径が開口１２３の直径よりも大きい。第二接合部２１２は収容空間１２４に収容されている。本実施例では、第一接合部２１１と第二接合部２１２とが分離可能であり、第一接合部２１１と第二接合部２１２とがネジ２１３で結合してもよい。第二接合部２１２は円形断面側壁２１４を有し、円形断面側壁２１４の周りには環状案内溝２１５が設けられており、環状案内溝２１５は弾性付きリブ１３０を収容するためのものである。
【００１１】
このように、本考案に係る接合子２１０に弾性付きリブ１３０を係合すると、接合子２１０が収容空間１２４内に規制されるので、組合せ式モップ１０００の組付が簡単であり、従来のものよりも部品の点数が少なく、組付工数が低減し、生産コストが減少する。
【００１２】
枢着子２２０は、接合子２１０から伸びており、接合子２１０と一体成形されてもよく、枢着子２２０には円弧形状側面２２１が設けられている。円弧形状側面２２１には溝２２２が複数に凹設されている。
ハンドル２３０は、一つのロッドでもいいし、複数のロッドを連接して構成されてもよく、その軸心から枢着軸ＡＸ２が伸びており、枢着子２２０に枢着されており、これにより、ハンドル２３０が枢着軸ＡＸ２を中心として枢着子２２０を回ることができる。枢着軸ＡＸ２は中心軸ＡＸ１と垂直している。
弾性付き規制子２４０は、ハンドル２３０の内部に設けられており、その一部がハンドル２３０から外部に露出しており、バネ２４１と、ボール２４２と、から構成され、ボール２４２はスチール玉であってもよい。バネ２４１は、一端がハンドル内に固定されており、他端がボール２４２に押し付けており、ボール２４２の一部がハンドル２３０から外部に露出しており、枢着子２２０の溝２２２に収容されている。このように、枢着子２２０に対してハンドル２３０を一方向に回動すると、ボール２４２が溝２２２から離脱するようになり、逆に、枢着子２２０に対してハンドル２３０を上記方向の逆方向に回動すると、ボール２４２が溝２２２に落ちるようになり、これにより、ハンドル２３０と枢着子２２０とを固定することができる。
【００１３】
次に、図４を参照する。図４は本考案に係る組合せ式モップの使用状態を示す概略図である。本考案に係る組合せ式モップ１０００の使用方法は、ユーザがモップロッド２００を握って、モップヘッド１００に対してモップロッド２００を傾斜することができ、すなわち、枢着子２２０に対してハンドル２３０を回動することにより、モップヘッド１００を地面に接触することができ、そしてユーザはモップロッド２００を容易に握ることができる。
ユーザがモップロッド２００を移動しているときには、モップヘッド１００がモップロッド２００と地面とに対して回動するようになり、すなわち、回動ベース１２０が接合子２１０に対して回動するようになるので、地面を効率よく清掃することができる。
【００１４】
次に、図５を参照する。図５は本考案に係る組合せ式モップ１０００の使用状態を示す概略図である。清掃子１１０を交換したいときには、回動ベース１２０から接合子２１０を分離するだけで、清掃子１１０を交換することができ、すなわち、弾性付きリブ１３０は弾性を有するので、開口１２３のエッジへ弾性付きリブ１３０を押えると、接合子２１０を収容空間１２４から離脱することができる。同じように、モップヘッド１００にモップロッド２００を結合したいときには、弾性付きリブ１３０を開口１２３から押えて収容空間１２４に進入するだけで、モップヘッド１００にモップロッド２００を結合することができ、すなわち、接合子２１０が収容空間１２４に収容されているときには、弾性により弾性付きリブ１３０が接合子２１０に係合されている。
【００１５】
このように、本考案に係るモップロッド２００には、従来のように回動盤を設ける必要がないので、従来のものよりも生産コストが減少し、また、モップロッド２００がロッド形状を呈するので、モップヘッド１００からモップロッド２００を分離したいときには、足でモップヘッド１００を踏みながら、モップロッド２００の一端を握ると、モップロッド２００がモップヘッド１００から容易に分離することができ、そしてモップヘッド１００から分離されたモップロッド２００は、従来のものよりも収納スペースが少なく掛けられる。
【産業上の利用可能性】
【００１６】
本考案は、モップに適用することができる。
【符号の説明】
【００１７】
１００    モップヘッド
１１０    清掃子
１２０    回動ベース
１２１    組合せ面
１２２    清掃側
１２３    開口
１２４    収容空間
１２６    結合穴
１３０    弾性付きリブ
２００    モップロッド
２１０    接合子
２１１    第一接合部
２１２    第二接合部
２１３    ネジ
２１４    円形断面側壁
２１５    環状案内溝
２２０    枢着子
２２１    円弧形状側面
２２２    溝
２３０    ハンドル
２４０    弾性付き規制子
２４１    バネ
２４２    ボール
１０００  組合せ式モップ
ＡＸ１    中心軸
ＡＸ２    枢着軸
【図１】
0003150362.tif 000003
【図２】
0003150362.tif 000004
【図３】
0003150362.tif 000005
【図４】
0003150362.tif 000006
【図５】
0003150362.tif 000007